(57)【要約】【課題】直近の使用に係るウエットティッシュを効果的に予定温度まで加温しつつ、容器本体内に収容されたウエットティッシュの乾燥とを防ぐと共に安全なウエットティッシュ加温器を提供すること。【解決手段】ウエットティッシュ群収容部２００を配置するための容器本体１１０と、前記容器本体に形成された容器開口部１１１と、前記容器開口部を塞ぐための容器蓋部１１２と、を備え、前記容器本体には、前記取り出し開口部側に対して配置される加温手段１２０と、前記加温手段を前記ウエットティッシュ群収容部の厚み変化に応じて、その厚み方向に移動させるための加温手段移動部１２３、１１３と、が設けられ、前記加温手段には、前記取り出し口に対応する貫通孔１２４が形成され、　前記加温手段移動部の最上端部には、前記加温手段を前記容器本体から退避させるための加温手段退避部１１３ａが形成されているウエットティッシュ加温器１００。【選択図】　図２
2004113389.tif 000002
【特許請求の範囲】
【請求項１】
積層配置された複数のウエットティッシュを有し、前記ウエットティッシュの取り出し開口部を有するウエットティッシュ群収容部を配置するための容器本体と、
前記ウエットティッシュ群収容部を前記容器本体に対して挿入し又は排出するために前記容器本体に形成された容器開口部と、
前記容器開口部を塞ぐための容器蓋部と、を備えるウエットティッシュ加温器であって、
前記容器本体には、前記容器本体内に配置された前記ウエットティッシュ群収容部の前記取り出し開口部側に対して配置される加温手段と、
前記加温手段を前記ウエットティッシュ群収容部の厚み変化に応じて、その厚み方向に移動させるための加温手段移動部と、が設けられ、
前記加温手段には、前記ウエットティッシュ群収容部の前記取り出し口に対応する貫通孔が形成され、
前記加温手段移動部の前記容器開口部側の最上端部には、前記加温手段を前記容器本体から退避させるための加温手段退避部が形成されていることを特徴とするウエットティッシュ加温器。
【請求項２】
前記加温手段が前記ウエットティッシュ群収容部を押さえ付ける方向にのみ移動可能な逆止手段を有すると共に、この逆止手段の逆止構造を解除する逆止解除手段が設けられていることを特徴とする請求項１に記載のウエットティッシュ加温器
【請求項３】
前記加温手段退避部は、前記加温手段の一端側を支点に、前記加温手段を回動させる構成となっており、
前記加温手段の他端側には利用者が操作しやすい保持部が形成されていることを特徴とする請求項１又は請求項２に記載のウエットティッシュ加温器。
【請求項４】
前記加温手段に対して電源から電気を供給するための電源コードを収納するための電源コード用収納空間が、前記容器本体内に設けられ、
この電源コード用収納空間は、前記ウエットティッシュ群収容部を配置するために前記容器本体内に設けられたウエットティッシュ群収容部用空間とは仕切部によって仕切られており、
前記加温手段や前記加温手段退避部は、このウエットティッシュ群収容部用空間側にのみ設けられていることを特徴とする請求項１乃至請求項３のいずれかに記載のウエットティッシュ加温器。
【発明の詳細な説明】
【０００１】
【発明の属する技術分野】
本発明は、ウエットティッシュ群収容部に収容されたウエットティッシュを加温するためのウエットティッシュ加温器に関するものである。
【０００２】
【従来の技術】
例えば、乳幼児に対してウエットティッシュを用いる場合に、ウエットティッシュが冷たいと、その冷たさのため乳幼児がウエットティッシュを嫌がり、乳幼児に対して上手にウエットティッシュを使うことが出来ない場合があった。
このため、ウエットティッシュを温めるためウエットティッシュ用ウォーマーが用いられている（例えば、特許文献１参照）。
このウエットティッシュ用ウォーマーは、ウエットティッシュを多数収容するウエットティッシュ詰替容器を、その内部に配置させて加温器で温める構造のものである。
【０００３】
【特許文献１】
特開２０００−３３３８７１号公報
【０００４】
【発明が解決しようとする課題】
このようなウエットティッシュ用ウォーマーは、その加温器が底面や側面に配置され、ウエットティッシュ用ウォーマー内のすべてのウエットティッシュを温める構造となっている。
このため、直近の使用に係るウエットティッシュ、すなわち、ウエットティッシュ用ウォーマーの開口の近くに配置されているウエットティッシュは十分に加温されず、製品としての予定温度まで達せず、使用者が冷たい状態のウエットティッシュを使用するという問題があった。
一方、前記直近の使用にかかるウエットティッシュを十分に加温するには、ウエットティッシュ用ウォーマー内のすべてのウエットティッシュをさらに加温することとなる。これでは、ウエットティッシュの乾燥等を招き、使用者に乾いたウエットティッシュに使用を強いるという問題もあった。
また、特許文献１に示すように、ウエットティッシュ容器内に加温器を配置し、ウエットティッシュの使用に伴い加温器の自重により常に上面のウエットティッシュを加温する方式も提案されていた。
しかし、使用済みのウエットティッシュ群収容部を新たなものと取り替える際に、加温器によって操作が行いづらいだけでなく、加温器の加温面に触れてしまいやすく危険という問題もあった。
【０００５】
本発明は、以上の点に鑑み、直近の使用に係るウエットティッシュを効果的に予定温度まで加温しつつ、容器本体内に収容されたウエットティッシュの乾燥とを防ぐと共に、安全なウエットティッシュ加温器を提供することを目的とする。
【０００６】
【課題を解決するための手段】
前記目的は、請求項１の発明によれば、積層配置された複数のウエットティッシュを有し、前記ウエットティッシュの取り出し開口部を有するウエットティッシュ群収容部を配置するための容器本体と、前記ウエットティッシュ群収容部を前記容器本体に対して挿入し又は排出するために前記容器本体に形成された容器開口部と、前記容器開口部を塞ぐための容器蓋部と、を備えるウエットティッシュ加温器であって、前記容器本体には、前記容器本体内に配置された前記ウエットティッシュ群収容部の前記取り出し開口部側に対して配置される加温手段と、前記加温手段を前記ウエットティッシュ群収容部の厚み変化に応じて、その厚み方向に移動させるための加温手段移動部と、が設けられ、前記加温手段には、前記ウエットティッシュ群収容部の前記取り出し口に対応する貫通孔が形成され、前記加温手段移動部の前記容器開口部側の最上端部には、前記加温手段を前記容器本体から退避させるための加温手段退避部が形成されていることを特徴とするウエットティッシュ加温器により達成される。
【０００７】
請求項１の構成によれば、前記容器本体には、前記容器本体内に配置された前記ウエットティッシュ群収容部の前記取り出し開口部側に対して配置される加温手段を備えている。
したがって、前記ウエットティッシュ群収容部の前記取り出し開口部側に配置される直近の使用にかかるウエットティッシュを前記加温手段で効果的に温めることができる。
また、前記加温手段を前記ウエットティッシュ群収容部の厚み変化に応じて、その厚み方向に移動させるための加温手段移動部が設けられ、前記加温手段には、前記ウエットティッシュ群収容部の前記取り出し口に対応する貫通孔が形成されている。
【０００８】
すなわち、前記ウエットティッシュ群収容部内のウエットティッシュが、使用者の使用によって、残量が減少し、前記ウエットティッシュ群収容部の厚み方向に薄くなり、前記加温手段と前記ウエットティッシュ群収容部の前記取り出し開口部側との間隔が開き、前記加温手段でウエットティッシュを適切に温める難い状態になっても、前記加温手段移動部によって、前記加温手段を、前記ウエットティッシュ群収容部の厚み方向に移動させることで、再び、その間隔を狭め若しくは接触させることができるので、ウエットティッシュを効果的に温めることができる。
したがって、前記加温手段が、前記ウエットティッシュ群収容部の厚み変化に追従して移動するので、常に、前記ウエットティッシュ群収容部の前記取り出し開口部側に配置されるウエットティッシュを適切に温めることができる。
【０００９】
また、前記加温手段には、前記ウエットティッシュ群収容部の前記取り出し口に対応する貫通孔が形成されている。
したがって、前記加温手段で適切な温度で温められているウエットティッシュを前記ウエットティッシュ群収容部の前記取り出し開口部から前記貫通孔と通って取り出すことができる。このため、一旦、前記加温手段を前記ウエットティッシュ群収容部から離して、ウエットティッシュを取り出す必要がないので、温められたウエットティッシュを冷ますことなく、使用者は取り出すことができる。また、前記加温手段移動部の前記容器開口部側の最上端部には、前記加温手段を前記容器本体から退避させるための加温手段退避部が形成されている。
したがって、前記ウエットティッシュ群収容部内のウエットティッシュをすべて使い終わって、ウエットティッシュ群収容部を取り替える場合に、前記加温手段退避部によって前記加温手段を前記容器開口部から退避させることで、使用済みのウエットティッシュ群収容部を前記容器本体から排出する際に、前記加温手段が、この排出作業の邪魔になることがない。また、加温手段退避部によって、所定位置に加温手段を退避させられるため、加温手段に作業者の手等が触れてしまう危険性が小さい。
【００１０】
また、新たなウエットティッシュ群収容部を前記容器本体内に挿入する場合も前記加温手段が邪魔にならずに挿入することができる。
このようにウエットティッシュをウエットティッシュ群収容部内から引き出して使用する場合は、絶えず前記加温手段が追従するので、ウエットティッシュを効果的に且つ適切に温めることができると共に、前記ウエットティッシュ群収容部を取り替える際には、前記加温手段は退避し、交換作業の邪魔とならないため、使いやすく、安全なウエットティッシュ加温器となる。
【００１１】
請求項２の発明によれば、請求項１の構成において、前記加温手段が前記ウエットティッシュ群収容部を押さえ付ける方向にのみ移動可能な逆止手段を有すると共に、この逆止手段の逆止構造を解除する逆止解除手段が設けられていることを特徴とするウエットティッシュ加温器である。
【００１２】
請求項２の構成によれば、前記加温手段が前記ウエットティッシュ群収容部を押さえ付ける方向にのみ移動可能な逆止手段を有している。
したがって、一旦、前記加温手段移動部で前記加温手段の位置を前記ウエットティッシュ群収容部に対して適切な位置にすれば、使用者がウエットティッシュを引き上げる際に生じる振動や上方への力等によって、これらの間隔が広がる等となることがない。また、ウエットティッシュの使用に伴い、ウエットティッシュ群収容部の厚みが減った場合には、加温手段は押さえ付け方向に移動可能であることに伴い、使用者の操作などによって適切な位置となる。これらによって、常に前記加温手段と前記ウエットティッシュ群収容部との間は適切な位置に保たれることになり、ウエットティッシュも絶えず適切な温度に温められることになる。
また、前記逆止手段の逆止構造を解除する逆止解除手段が設けられているので、例えばウエットティッシュ群収容部を取り替える等のときは、この逆止解除手段で逆止構造を解除することで、前記加温手段はウエットティッシュ群収容部と離間する方向に動かすことができ、上述の加温手段退避部に前記加温手段を配置することができる。
【００１３】
請求項３の発明によれば、請求項１又は請求項２に構成において、前記加温手段退避部は、前記加温手段の一端側を支点に、前記加温手段を回動させる構成となっており、前記加温手段の他端側には利用者が操作しやすい保持部が形成されていることを特徴とするウエットティッシュ加温器である。
【００１４】
請求項３の構成によれば、前記加温手段退避部は、前記加温手段の一端側を支点に、前記加温手段を回動させる構成となっており、前記加温手段の他端側には利用者が操作しやすい保持部が形成されている。
したがって、利用者は、前記保持部を保持して、前記加温手段を回動させることができるので、特にウエットティッシュ群収容部の取り替え時に、前記加温手段を操作しやすく、安全なウエットティッシュ加温器となる。
【００１５】
請求項４の発明によれば、請求項１乃至請求項３のいずれかに記載の構成において、前記加温手段に対して電源から電気を供給するための電源コードを収納するための電源コード用収納空間が、前記容器本体内に設けられ、この電源コード用収納空間は、前記ウエットティッシュ群収容部を配置するために前記容器本体内に設けられたウエットティッシュ群収容部用空間とは仕切部によって仕切られており、前記加温手段や前記加温手段退避部は、このウエットティッシュ群収容部用空間側にのみ設けられていることを特徴とするウエットティッシュ加温器である。
【００１６】
請求項４の構成によれば、前記加温手段に対して電源から電気を供給するための電源コードを収納するための電源コード用収納空間が、前記容器本体内に設けられている。
したがって、前記電源コードを前記電源コード用収納空間内に収納させることができるので、加温手段の変位を妨げることなく、加温手段を適切な位置に配置可能で確実に加温できるウエットティッシュ加温器となる。
また、前記電源コード用収納空間は、前記ウエットティッシュ群収容部を配置するために前記容器本体内に設けられたウエットティッシュ群収容部用空間とは仕切部によって仕切られており、前記加温手段や前記加温手段退避部は、このウエットティッシュ群収容部用空間側にのみ設けられている。
したがって、電源コード用収容空間が設けられていても、前記加温手段や前記加温手段退避部の動作等の邪魔になることがないので、使いやすいウエットティッシュ加温器となる。
【００１７】
【発明の実施の形態】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１８】
図１は、本発明の実施の形態に係る、ウエットティッシュ加温器である例えばナップウォーマー１００を示す概略斜視図である。図２は、図１のナップウォーマー１００の内部構造を示す概略断面図である。
図１に示すように、ナップウォーマー１００は、ウエットティッシュ群収容部である例えばウエットティッシュ詰替容器２００を配置するための容器本体１１０を有している。
図３は、ウエットティッシュ詰替容器２００を示す概略斜視図であり、図４は図３のＡ−Ａ’線概略断面図である。
このウエットティッシュ詰替容器２００は、図３に示すようにポリエチレンフィルムやアルミ等からなる変形可能な容器体２０１を有し、この容器体２０１内には、例えばウエットティッシュＷ１乃至Ｗ４が折り畳まれて配置されている。これら積層配置された複数のウエットティッシュＷ１等は、通常５０枚乃至１００枚程度収納されている。
【００１９】
また、ウエットティッシュＷ１等は、不織布等に防腐剤、保湿剤、保湿可溶化剤、安定化剤、界面活性剤及び溶剤の薬液を含浸させたものである。
薬液が含浸させられているウエットティッシュＷ１等は、図４に示すように、一のウエットティッシュＷ１の一部である端部を挟み込むように他のウエットティッシュＷ２が折り畳まれて配置されている。そして、同様にウエットティッシュＷ２の端部ウエットティッシュＷ３が挟み込むように折り畳まれ、ウエットティッシュＷ３の端部をウエットティッシュＷ４が挟み込むように折り畳まれている。
図４では、説明の都合上、４枚のウエットティッシュＷ１等を示しているが、このようなウエットティッシュＷ１等が上述のように５０枚乃至１００枚程度、同様に折り畳まれている。
【００２０】
このような折り畳み方を例えばＺ折りといい、このようにＺ折りで折り畳まれたウエットティッシュＷ１等をポップアップ方式ともいう。
ポップアップ方式には、Ｚ折りだけでなくウエットティッシュＷ１等を２つに折るＶ折りやＺ折りとＶ折りを混合させたもの等も含まれる。
ポップアップ方式で折られたウエットティッシュＷ１は、利用者が図４のウエットティッシュＷ１の突出した先端部を把持して引き出すと、次に配置されているウエットティッシュＷ２の先端部も引き出され、図４のウエットティッシュＷ１と同様の位置となる。
したがって、絶えず利用者がウエットティッシュＷ１等を把持しやすい状態となる。
【００２１】
このように複数のウエットティッシュＷ１等を収容する容器体２０１には、図３に示すように、ウエットティッシュＷ１等を取り出すために取り出し用開口部２１０が形成されている。
そして、取り出し用開口部２１０を覆うように詰替容器蓋２０２が配置されている。この詰替容器蓋２０２には、図３に示すように突片２０２ａが形成され、この突片２０２ａを利用者が把持して操作することで詰替容器蓋２０２が剥がされ、取り出し用開口部２１０が露出するようになっている。
【００２２】
このように、取り出し用開口部２１０が露出された状態で、ウエットティッシュ詰替容器２００は、図１のナップウォーマー１００の容器本体１１０内に収容される。
容器本体１１０は、図１に示すようにウエットティッシュ詰替容器２００を容器本体１１０に対して挿入又は排出するために容器本体１１０に形成された容器開口部１１１を有している。
この容器開口部１１１から、ウエットティッシュ詰替容器２００を、その取り出し用開口部２１０を図１において上に向けた状態で、容器本体１１０内に収容する構成となっている。
そして、この収容されたウエットティッシュ詰替容器２００の上に図１に示す加熱板１２０が配置される構成となっている。
さらに、この容器開口部１１１を塞ぐための容器蓋部１１２が備えられている。
【００２３】
前記加熱板１２０は、容器本体１１０内に設けられ、容器本体１１０内に配置されたウエットティッシュ詰替容器２００の取り出し用開口部２１０側である例えば開口部形成面２０３（図３参照）側に対して配置される加温手段の一例である。
このように、加熱板１２０が配置されるため、ウエットティッシュ詰替容器２００の開口部形成面２０３側に配置される直近の使用にかかるウエットティッシュＷ１等を加熱手段１２０で効果的に温めることができる。
【００２４】
加熱板１２０は、図２に示すように、その内部にヒータ１２１を備えており、このヒータ１２１は、図２に示す電源コード１２２を介して電力の供給を受ける構成となっている。
また、この加熱板１２０の図２における左側には軸１２３が設けられており、この軸１２３は、対応する容器本体１１０に形成されたガイド溝１１３に沿って図において上下方向に移動可能な構成となっている。
図５は、この軸１２３とガイド溝１１３との関係を示す概略説明図である。
図５に示すように、軸１２３はヘッド１２３ａを介してガイド溝１１３を上下方向に移動可能な構成となっている。
この軸１２３の上下方向に移動によって、加熱板１２０は、容器本体１１０内を図２の矢印方向に移動する。
また、軸１２３は後述するようにガイド溝１１３の上端で回動できるよう、略円柱状とされているが、図５に示されるように、ガイド溝１１３に沿った部分はガイド溝１１３と水平な平面状とされて、上下方向に安定して移動可能とされている。
【００２５】
そして、この加熱板１２０の下側の空間（図２の矢印Ｂ）には、上述のようにウエットティッシュ詰替容器２００が配置され、ウエットティッシュ詰替容器２００の図３の開口部形成面２０３側に、加熱板１２０の下面が当接する構成となっている。
このように、加熱板１２０は、ガイド溝１１３によって上下方向に移動するので、ウエットティッシュ詰替容器２００内のウエットティッシュＷ１等が使用によって減少し、その厚みが小さくなっても、その厚みの変化に応じて加熱板１２０も移動可能となっている。
したがって、ウエットティッシュ詰替容器２００の開口部形成面２０２は、常に加熱板１２０と当接する構成となっている。
すなわち、加熱板１２０をウエットティッシュ詰替容器２００の厚み変化に応じて、その厚み方向に移動させるための加熱手段移動部である例えば軸１２３とガイド溝１１３等が形成されている。
【００２６】
このように、ウエットティッシュ詰替容器２００内のウエットティッシュＷ１等が利用者の使用によって、残量が減少し、ウエットティッシュ詰替容器２００の厚み方向が薄くなり、加熱板１２０とウエットティッシュ詰替容器２００の開口部形成面２０３との間隔が開くことがある。
このとき、加熱板１２０でウエットティッシュ詰替容器２００内のウエットティッシュＷ１等を適切に温め難い状態になっても、加熱板１２０の軸１２３をガイド溝１１３内に沿って移動させ、これにより加熱板１２０をウエットティッシュ詰替容器２００の厚み方向に移動させることで、再び、前記間隔を狭めもしくは接触させることができるので、ウエットティッシュ詰替容器２００内のウエットティッシュＷ１等を効果的に温めることができる。
具体的には、加熱板１２０がウエットティッシュ詰替容器２００の厚み変化に追従して移動するので、常に、ウエットティッシュ詰替容器２００の開口部形成面２０３側に配置される直近の使用に係るウエットティッシュＷ１等を温めることができる。
【００２７】
ところで、図１及び図２に示すように、加熱板１２０には、図３のウエットティッシュ詰替容器２００の取り出し用開口部２１０に対応する位置に貫通孔１２４が形成されている。
したがって、ウエットティッシュ詰替容器２００内のウエットティッシュＷ１等は加熱板１２０で温められている状態で、加熱板１２０の貫通孔１２４から引き出される構成となっている。
【００２８】
このため、加熱板１２０で適切な温度で温められているウエットティッシュＷ１等をウエットティッシュ詰替容器２００の取り出し用開口部２１０から前記貫通孔１２４を通って取り出すことができる。
そして、一旦、加熱板１２０をウエットティッシュ詰替容器２００から離して、ウエットティッシュＷ１等を取り出す必要がないので、温められたウエットティッシュＷ１等を冷ますことなく、利用者は取り出すことができる。
【００２９】
また、図２に示すガイド溝１１３の容器開口部１１１側の最上端部には、加熱板１２０を容器本体１１０から退避させるための加温手段退避部である例えば回動ガイド溝１１３ａが形成されている。
この回動ガイド溝１１３ａは、図２及び図５に示すように、略円形の溝となっており、この略円形の溝に沿って、加熱板１２０が例えば、図２の矢印Ｃに示すように回動する構成となっている。
すなわち、回動ガイド溝１１３ａは、加熱板１２０の一端側である略円柱状の軸１２３の太さよりも、僅かに大きな内周を有しており、軸１２３を支点に、加熱板１２０を回動させる構成となっている。
さらに、加熱板１２０の他端側である図２の右側には、利用者が操作し易い保持片１２５が形成されている。この保持片１２５を持って操作することにより、利用者は加熱板１２０を回動させやすい構成となっている。
図６及び図７は、加熱板１２０を回動させ、容器本体１１０から退避させた状態を示す概略正面図及び概略斜視図である。
【００３０】
このように、構成されているので、ウエットティッシュ詰替容器２００内のウエットティッシュＷ１等をすべて使い終わって、ウエットティッシュ詰替容器２００を取り替える場合でも、加熱板１２０を上述のように回動させることで、使用済みのウエットティッシュ詰替容器２００を容器本体１１０から排出し易い。すなわち、ウエットティッシュ詰替容器２００を排出する際に、加熱板１２０は、図６及び図７に示すように、容器蓋部１１２の開閉方向と異なる方向、例えば容器蓋部１１２の開閉方向と略直交する方向に退避しているので、排出作業の邪魔になることがなく、使用者が誤って加熱板１２０の加熱面（加熱板１２０の図２の下面側）に触れにくい構成となっている。
この加熱板１２０の開閉方向は、具体的には加熱板１２０の図７に示す短手方向（容器本体１１０の短手方向）に配置される軸１２３（図２参照）によって、図７の容器蓋部１１２の開閉方向と略直交する方向（図７の左右方向）に揺動して退避等する構成となっている。
また、新たなウエットティッシュ詰替容器２００を容器本体１１０内に挿入（収容）する際にも、加熱板１２０が邪魔にならず挿入等することができる。
以上のように、本実施の形態のナップウォーマー１００は、ウエットティッシュＷ１等をウエットティッシュ詰替容器２００内から引き出して使用する場合は、絶えず加熱板１２０が追従するので、ウエットティッシュＷ１等を効果的に且つ適切に温めることができる。また、ウエットティッシュ詰替容器２００を取り替える際は、加熱板１２０が回動して退避するので、加熱板１２０が交換作業の邪魔にならない、使い易く安全なナップウォーマー１００となる。
【００３１】
さらに、加熱板１２０に保持片１２５が配置されているので、利用者は保持片１２５を持って加熱板１２０を容易に回動させることができる。このため、利用者が加熱板１２０を操作し易く安全なナップウォーマー１００となっている。
【００３２】
ところで、ナップウォーマー１００は、加熱板１２０がウエットティッシュ詰替容器２００を押さえ付ける方向にのみ移動可能な逆止手段を有している。
この逆止手段は、例えばラチェット機構となっており、具体的には、図２及び図８（ａ）に示すように、ラチェットガイド１３０とラチェット係合片１３１とを有している。
図８（ａ）は、このラチェットガイド１３０とラチェット係合片１３１との関係を示す概略説明図である。図８（ｂ）は、（ａ）のＥ部概略拡大図である。
図８（ａ）に示すように、ラチェットガイド１３０は、複数の係合凹部１３０ａを有している。
【００３３】
一方、ラチェット係合片１３１には、前記係合凹部１３０ａと係合するための係合凸部１３１ａが形成されている。また、この係合凸部１３１ａを支持しているアーム１３１ｂは、この係合凸部１３１ａをラチェットガイド１３０側へ押し付ける方向に付勢されている。
さらに、図８（ｂ）に示すように、係合凸部１３１ａは、その図において上部に係合面１３１ｃを有しており、ラチェットガイド１３０の係合凹部１３０ａの凹部上面１３０ｂと係合する構成となっている。
逆に、係合凸部１３１ａの図において下部には、湾曲面１３１ｄが形成されている。このため、湾曲面１３１ｄは、ラチェットガイド１３０の係合凹部１３０ａと係合しない構成となっている。
【００３４】
このように構成されているため、ラチェット係合片１３１を有する加熱板１２０は、ラチェットガイド１３０の係合凹部１３０ａと係合すると、図において下方向には移動可能であるが、上方向には移動しない、いわゆるラチェット機構となっている。
具体的には、図１に示すように加熱板１２０を容器本体１１０に装着し、加熱板１２０のラチェット係合片１３１の係合凸部１３１ａを、容器本体１１０に係合されたラチェットガイド１３０の係合凹部１３０ａに係合させると、図９に示すように、加熱板１２０は下方向には移動可能であるが、上方向には移動しない構成となっている。
図９は、加熱板１２０を下げた状態を示すナップウォーマーの概略斜視図である。
【００３５】
このため、加熱板１２０を図７に示すように、退避させて容器本体１１０内にウエットティッシュ詰替容器２００を収容し、その後、加熱板１２０を回動させ、図１のように配置すると、加熱板１２０は上述のラチェット機構により、ウエットティッシュ詰替容器２００を押さえ付ける方向にのみ移動する。
そして、一旦、図２等の軸１２３をガイド溝１１３に沿って移動させ、図８（ａ）の係合凸部１３１ａと係合凹部１３０ａとを係合させ、加熱板１２０を適切な位置、すなわち、ウエットティッシュ詰替容器２００の開口部形成面２０３に当接する位置にすれば、使用者がウエットティッシュ詰替容器２００内のウエットティッシュＷ１等を引き上げる際に生じる振動や上方への力等によって、加熱板１２０が上方向に移動し、両者の間に隙間等が生じ、間隔が広がることや加熱板１２０が傾いてしまうことがない。
このため、常に、加熱板１２０とウエットティッシュ詰替容器２００とは当接等の適切な位置に保たれることになり、ウエットティッシュＷ１等も絶えず適切な温度に温められることになる。
【００３６】
ところで、ラチェット係合片１３１には、逆止手段であるラチェット機構の逆止構造を解除する逆止解除手段が設けられている。
具体的には、逆止構造となっているラチェット係合片１３１とラチェットガイド１３０との係合を解除させるための解除片１３２が図８（ａ）に示すように設けられている。
すなわち、解除片１３２を図８（ａ）の矢印Ｆの方向に撓ませるように操作すると、係合凸部１３１ａもＦ方向に移動し、これにより、係合凸部１３１ａと係合凹部１３０ａとの係合が解除される構成となっている。
【００３７】
このように係合を解除する解除片１３２を有しているので、例えば、図９に示すように、ウエットティッシュ詰替容器２００の減少に追従して、加熱板１２０を下まで移動させ、その後、ウエットティッシュ詰替容器２００を取り替える場合は、利用者が、この解除片１３２を操作するだけでラチェット機構の係合は解除され、そのまま、解除片１３２を撓ませた状態でつまむ保持手段として使用し、加熱板１２０を容易に持ち上げ、図２の回動ガイド溝１１３ａまで引き上げることができる。
そして、加熱板１２０を回動させ、上述のように退避位置、図７に示す位置に配置させることができるので、容易にウエットティッシュ詰替容器２００を取り替えることができる。
【００３８】
また、解除片１３２は、図１に示すように、加熱板１２０に長手方向の略中央に対向するように２つ形成されている。このため、利用者が解除片１３２を親指と中指又は人差し指とで挟み込むように持つことで、係合が解除されるので、操作し易く、且つ、解除後、加熱板１２０を上方に引き上げ易い構成となっている。
なお、ラチェット係合片１３１とラチェットガイド１３０より成る逆止手段及び逆止解除手段は、容器本体１１０の対向する面における略中央部に設けられ、加熱板１２０が傾いてしまわないように形成されている。
【００３９】
ところで、図７に示すように、容器本体１１０の内部にはリブ１１４が４本形成されている。これら４本のリブ１１４に対応して加熱板１２０には、リブ溝１２６が４箇所形成されている。
これら４本のリブ１１４は、加熱板１２０が容器本体１１０内で上下に移動する際に、加熱板１２０のリブ溝１２６と係合し、加熱板１２０の移動を案内する構成となっている。
なお、リブ溝１２６は、図６に示されるように、中央が縮幅となる曲面形状とされており、加熱板１２０の回動（揺動）線と略同等の曲面であることにより、回動（揺動）操作時にリブ１１４が干渉等するのを回避できる構成となっている。
以上のように加熱板１２０は図２に示すように容器本体１１０内に配置されると、加熱板１２０の軸１２３がガイド溝１１３で案内され、加熱板１２０のラチェット係合片１３１は係合凹部１３１ａで案内され、さらに加熱板１２０のリブ溝１２６はリブ１３０で案内される構成となっている。
このため、図２に示す加熱板１２０は常に容器本体１１０内で略水平に保持されることになる。
したがって。この加熱板１２０に下方向に配置されるウエットティッシュ詰替容器２００の開口部形成面２０３に対しても傾くことなく略水平に配置されるので、ウエットティッシュ詰替容器２００内のウエットティッシュＷ１を均等に温めることができる。
【００４０】
また、図１等に示すように、容器本体１１０には、残量表示窓１１５が形成されている。
この残量表示窓１１５は、透明の樹脂等の部材よりなり、加熱板１２０の位置やウエットティッシュ詰替容器２００の厚みを容易に視認することができる構成となっている。
したがって、図１のナップウォーマー１００の容器蓋部１１２を閉めた状態でも、一見してウエットティッシュ詰替容器２００内のウエットティッシュＷ１等の残量が分かるようになっている。
【００４１】
また、容器蓋部１１２には発泡スチロール等の断熱板が、その内部に配置され、更に、容器本体１１０側の外周には、弾性体よりなるパッキン１１２ｂが設けられており、容器蓋部１１２を閉めた際、熱や蒸気が外部に逃げにくい構成となっている。
そして、容器蓋部１１２には、図１０に示すように、利用者が手を差し入れるための保持穴１１２ａが形成されている。
このため、利用者がこの保持穴１１２ａに手を差し込むことで容易にナップウォーマー１００を持ち運ぶことができる。
図１０は、ナップウォーマー１００の背面を示す概略斜視図である。
【００４２】
ところで、容器本体１１０の図２の左側には、加熱板１２０に対して電源から電気を供給するための電源コード１２２を収納するための電源コード用収容空間である例えば収納部１１６が形成されている。
したがって、ナップウォーマー１００を使用しないときは、電源コード１２２を容器本体１１０の収納部１１６内に収容させることができるので、利用者にとって取り扱い易いナップウォーマー１００としてもよい。
また、図２に示す収納部１１６は、ウエットティッシュ詰替容器２００を配置するために容器本体１１０に設けられたウエットティッシュ詰替容器２００用空間（図２の加熱板１２０の下方空間）とは、電源コード用開口１１７ａを有する仕切部１１７によって仕切られている。
そして、図２の加熱板１２０の軸１２３や容器本体１１０のガイド溝１１３は、ウエットティッシュ詰替容器２００用空間に形成されている。
したがって、容器本体１１０に収納部１１６を形成しても、電源コード１２２等が加熱板１２０の回動等の退避動作や、ウエットティッシュの減量に伴う移動の邪魔になることがなく、使いやすいナップウォーマー１００となる。
【００４３】
本実施の形態のナップウォーマー１００は以上のように構成されている。
したがって、利用者がナップウォーマー１００を利用する際に、ウエットティッシュ詰替容器２００を容易且つ安全に挿入し又は詰め替えることができる。また、使用に際しては、直近の使用に係るウエットティッシュＷ１等を適切に且つ効果的に予定温度まで温めることができる。さらに、容器本体１１０内の温度が必要以上に上昇しないので、容器本体１１０内に収容されたウエットティッシュの乾燥も防ぐことができる。
【００４４】
本発明は、上述の各実施の形態に限定されない。さらに、上述の各実施の形態は、相互に組み合わせて構成するようにしてもよい。
【００４５】
【発明の効果】
以上述べたように、本発明によれば、直近の使用に係るウエットティッシュを効果的に予定温度まで加温しつつ、容器本体内に収容されたウエットティッシュの乾燥とを防ぐと共に、安全なウエットティッシュ加温器を提供することができる。
【図面の簡単な説明】
【図１】本発明の実施の形態に係る、ウエットティッシュ加温器である例えばナップウォーマーを示す概略斜視図である。
【図２】図１のナップウォーマーの内部構造を示す概略断面図である。
【図３】ウエットティッシュ詰替容器を示す概略斜視図である。
【図４】図３のＡ−Ａ’線概略断面図である。
【図５】軸とガイド溝との関係を示す概略説明図である。
【図６】加熱板を回動させ、容器本体から退避させた状態を示す概略正面図である。
【図７】加熱板を回動させ、容器本体から退避させた状態を示す概略斜視図である。
【図８】（ａ）は、このラチェットガイド１３０とラチェット係合片１３１との関係を示す概略説明図である。（ｂ）は、（ａ）のＥ部概略拡大図である。
【図９】加熱板を下げた状態を示すナップウォーマーの概略斜視図である。
【図１０】ナップウォーマーの背面を示す概略斜視図である。
【符号の説明】
１００・・・ナップウォーマー、１１１・・・容器開口部、１１２・・・容器蓋部、１１２ａ・・・保持穴、１１３・・・ガイド溝、１１３ａ・・・回動ガイド溝、１１４・・・リブ、１１５・・・残量表示窓、１１６・・・収納部、１１７・・・仕切部、１２０・・・加熱板、１２１・・・ヒータ、１２２・・・電源コード、１２３・・・軸、１２３ａ・・・ヘッド、１２４・・・貫通孔、１２５・・・保持片、１２６・・・リブ溝、１３０・・・ラチェットガイド、１３０ａ・・・係合凹部、１３０ｂ・・・凹部上面、１３１・・・ラチェット係合片、１３１ａ・・・係合凸部、１３１ｂ・・・アーム、１３１ｃ・・・係合面、１３１ｄ・・・湾曲面、１３２・・・解除片、２００・・・ウエットティッシュ詰替容器、２０１・・・容器体、２０２・・・詰替容器蓋、２０２ａ・・・突片、２０３・・・開口部形成面、２１０・・・取り出し用開口部、Ｗ・・・ウエットティッシュ。
【図１】
2004113389.tif 000003
【図２】
2004113389.tif 000004
【図３】
2004113389.tif 000005
【図４】
2004113389.tif 000006
【図５】
2004113389.tif 000007
【図６】
2004113389.tif 000008
【図７】
2004113389.tif 000009
【図８】
2004113389.tif 000010
【図９】
2004113389.tif 000011
【図１０】
2004113389.tif 000012